Podtech/llm-jp-corpus-v4-ja_patent huggingface dataset:
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
データソースを匿名にするシステムであって、
複数のデータソースを有し、
各データソースが、
共通スキーマに基づき、正規化されたデータを作成するデータ作成エンジンと、
前記データソースが他のデータソースにより推定されることができないよう、前記正規化されたデータを非正規化し、前記非正規化されたデータを遠隔計算リソースに送信する変換エンジンとを含み、
前記遠隔計算リソースは、前記複数のデータソースから前記非正規化されたデータを受信し及びこれを格納する、システム。
【請求項２】
前記正規化されたデータが、前記データソースの識別を推定する１つ又は複数の一意な属性を含む、請求項１に記載のシステム。
【請求項３】
前記変換エンジンが、前記１つ又は複数の一意な属性の各々に関するエントリの数を変えることにより、前記正規化されたデータを非正規化されたデータへと変換する、請求項２に記載のシステム。
【請求項４】
前記変換エンジンが、グローバルユニーク識別子の表を生成し、前記非正規化されたデータにおける各一意な属性を前記正規化されたデータフォーマットへとマッピングする、請求項１乃至３の任意の一項に記載のシステム。
【請求項５】
前記遠隔計算リソースが、前記１つ又は複数のデータソースからの前記非正規化されたデータを利用し、パフォーマンス分析及び／又はレポートを提供する、請求項１乃至４の任意の一項に記載のシステム。
【請求項６】
前記データソースが、健康プロバイダであり、前記正規化されたデータは、臨床データである、請求項１乃至５の任意の一項に記載のシステム。
【請求項７】
データソースを匿名にする方法において、
複数のデータソースにより、共通スキーマに基づき、正規化されたデータを作成するステップと、
前記データソースが他のデータソースにより推定されることができないよう、変換エンジンにより、前記正規化されたデータを非正規化するステップと、
前記非正規化されたデータを遠隔計算リソースに送信するステップと、
前記遠隔計算リソースにおいて前記複数のデータソースからの前記非正規化されたデータを格納するステップとを有する、方法。
【請求項８】
データソースを匿名にするシステムであって、
複数のデータソースを有し、
各データソースが、共通スキーマに基づき、正規化されたデータを作成し、前記正規化されたデータを遠隔計算リソースに送信するデータ作成エンジンを含み、
前記遠隔計算リソースは、前記複数のデータソースから前記正規化されたデータを受信してこれを格納し、及び
前記遠隔計算リソースは、前記データソースが他のデータソースにより推定されることができないよう、前記正規化されたデータを非正規化し、前記非正規化されたデータを格納する変換エンジンを含む、システム。
【請求項９】
前記遠隔計算エンジンが、前記非正規化されたデータへのアクセス及び再識別を制御する、請求項８に記載のシステム。
【請求項１０】
前記遠隔計算エンジンが、前記データプロバイダにログインしたユーザの役割に基づき、前記非正規化されたデータに関して呼び出される処理を制御する、請求項９に記載のシステム。
【請求項１１】
各データソースが、再識別処理を呼び出すために前記遠隔計算リソースに証明書を送信する認証エンジンを有する、請求項１０に記載のシステム。
【請求項１２】
前記遠隔計算サービスが、前記再識別処理を認証するため、前記データソースから送信される証明書と格納された証明書とを比較する、請求項１１に記載のシステム。
【請求項１３】
前記変換エンジンが、グローバルユニーク識別子の表を生成し、前記正規化されたデータを再識別するため、前記非正規化されたデータにおける各一意な属性を前記正規化されたデータフォーマットへとマッピングする、請求項９乃至１２の任意の一項に記載のシステム。
【請求項１４】
前記正規化されたデータが、前記データソースの識別を推定する１つ又は複数の一意な属性を含む、請求項８乃至１３の任意の一項に記載のシステム。
【請求項１５】
前記変換エンジンが、前記１つ又は複数の一意な属性の各々に関してエントリの数を変えることにより、前記正規化されたデータを非正規化されたデータへと変換する、請求項１４に記載のシステム。
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
医療事象のコードレビューのための方法であって、
前記医療事象中に、第１のデバイススクリーン上にユーザーインターフェースを表示することと、
前記ユーザーインターフェースの画像を記録することであって、前記画像のそれぞれが、前記医療事象中のある時間に関連付けられる前記ユーザーインターフェースの全体を表し、前記画像が少なくとも毎秒１回記録される、記録することと、
第２のデバイススクリーン上に、可視的タイムライン表示器及びユーザーインターフェースレプリケータを表示することと、を含み、前記ユーザーインターフェースレプリケータが、前記ユーザーインターフェースの前記画像を表示し、前記可視的タイムライン表示器が、前記画像に関連付けられるある時間を表し、前記可視的タイムライン表示器及び前記ユーザーインターフェースレプリケータが、前記医療事象からの前記ユーザーインターフェース画像の連続的再生及びレビューを許容し、前記可視的タイムライン表示器が、前記連続的再生を前記医療事象に関連付けられる異なる時間まで移動させるためのユーザー入力を受け入れる、方法。
【請求項２】
前記可視的タイムライン表示器が、前記医療事象の開始時間及び前記医療事象の終了時間を含むタイムラインを含み、前記方法が、前記ユーザーインターフェースレプリケータ内で示された前記ユーザーインターフェースの前記画像に関連付けられる前記時間を前記タイムライン上に示すことをさらに含む、請求項１に記載の方法。
【請求項３】
前記タイムライン上に前記示すことが、前記ユーザーインターフェースレプリケータ内で示される前記ユーザーインターフェースの前記画像に関連付けられる前記時間を示すために、前記タイムライン上の表示器を使用することを含む、請求項２に記載の方法。
【請求項４】
前記ユーザーインターフェース画像の連続的再生中に、前記表示器を、前記開始時間から前記終了時間に向かう方向に、前記タイムラインに沿って進めることをさらに含む、請求項３に記載の方法。
【請求項５】
前記可視的タイムライン表示器が、前記タイムラインに沿う異なる位置への前記表示器のスクロールを許容することによって、ユーザー入力を受け入れる、請求項４に記載の方法。
【請求項６】
前記可視的タイムライン表示器が、時間−分−秒のフォーマットで前記画像のそれぞれに関連付けられる前記時間を表示する、請求項２に記載の方法。
【請求項７】
前記可視的タイムライン表示器が、前記医療事象中の臨床的に意義のある副事象の発生をマーキングする１つ以上の事象マーカーを含む、請求項２に記載の方法。
【請求項８】
前記１つ以上の事象マーカーが、前記医療事象中に薬剤が患者に投与された時間を示す薬剤事象マーカーを含む、請求項７に記載の方法。
【請求項９】
前記１つ以上の事象マーカーが、前記医療事象中に除細動ショックが患者に適用された時間を示す除細動事象マーカーを含む、請求項７に記載の方法。
【請求項１０】
前記１つ以上の事象マーカーが、患者が自発循環に戻った時間を示すＲＯＳＣ事象マーカーを含む、請求項７に記載の方法。
【請求項１１】
前記１つ以上の事象マーカーが、患者が心停止に戻った時間を示す再停止事象マーカーを含む、請求項７に記載の方法。
【請求項１２】
前記１つ以上の事象マーカーが、アラームが起動した時間を示すアラーム事象マーカーを含む、請求項７に記載の方法。
【請求項１３】
前記第２のデバイススクリーン上にカーソルを表示することと、前記カーソルが、前記可視的タイムライン表示器によって表される時間上でまたはその近くで止まるとき、前記第２のスクリーン上で、前記カーソルにてまたは前記カーソルの近くで、前記時間に関連付けられる前記ユーザーインターフェースの前記画像を表示することと、をさらに含む、請求項１に記載の方法。
【請求項１４】
前記カーソルが、前記時間上でまたは前記時間の近くで止まる時、前記カーソルにてまたはその近くで、前記時間のテキスト表現を表示することをさらに含む、請求項１３に記載の方法。
【請求項１５】
医療事象中の意思決定支援のための方法であって、
前記医療事象中に、デバイス上のスクリーン上にユーザーインターフェースを表示することであって、前記ユーザーインターフェースが、それぞれが考えられるユーザー選択を表す２つ以上のソフトキーを含む、表示することと、
前記デバイスにより患者から生理学的データを収集することと、
前記生理学的データに基づいて、前記２つ以上のソフトキーのうちのどの１つが、処置または診断プロトコルに最も密接に従う、前記考えられるユーザー選択を表すかを判定することと、
前記判定に基づいて、前記ユーザーインターフェース上で前記２つ以上のソフトキーのうちの前記１つを前記２つ以上のソフトキーの他のものから可視的に際立たせることと、を含む、方法。
【請求項１６】
前記２つ以上のソフトキーのうちの前記１つを可視的に際立たせることが、前記２つ以上のソフトキーのうちの前記１つを、前記２つ以上のソフトキーのうちの前記他のものよりも大きくすることを含む、請求項１５に記載の方法。
【請求項１７】
前記２つ以上のソフトキーのうちの前記１つを可視的に際立たせることが、前記ユーザーインターフェース上で前記２つ以上のソフトキーのうちの前記１つの位置を変更することを含む、請求項１５に記載の方法。
【請求項１８】
前記２つ以上のソフトキーのうちの前記１つを可視的に際立たせることが、前記ユーザーインターフェース上で前記２つ以上のソフトキーの前記１つの色を変更することを含む、請求項１５に記載の方法。
【請求項１９】
前記２つ以上のソフトキーのうちの前記１つを可視的に際立たせることが、前記ユーザーインターフェース上で前記２つ以上のソフトキーの前記１つの境界線を変更することを含む、請求項１５に記載の方法。
【請求項２０】
前記２つ以上のソフトキーのうちの前記１つを可視的に際立たせることが、前記ユーザーインターフェース上で前記２つ以上のソフトキーのうちの前記１つを動的に点滅させることを含む、請求項１５に記載の方法。
【請求項２１】
前記２つ以上のソフトキーのうちの前記１つを可視的に際立たせることが、なぜ前記２つ以上のソフトキーのうちの前記１つが可視的に判別されたかを記述する説明文を前記スクリーン上に表示することを含む、請求項１５に記載の方法。
【請求項２２】
前記２つ以上のソフトキーのうちの前記１つが、心臓窮迫ソフトキーであり、前記説明文が、考えられる心不整脈をテキスト的に示す、請求項２１に記載の方法。
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
プロセッサによって実行されるべき命令を受け取るステップと、
各々が命令アドレスおよび物理アドレスを含む1つまたは複数のエントリを含むページクロスバッファ内に前記命令がエントリを有しているか否かを判定するために、前記ページクロスバッファにおけるルックアップを実行するステップであって、前記ページクロスバッファ内の各エントリの前記命令アドレスおよび前記物理アドレスは、異なる命令に対応し、前記ページクロスバッファの少なくとも1つのエントリは、分岐命令アドレスを含んでいない、実行するステップと、
前記ページクロスバッファが前記ページクロスバッファ内に前記エントリを有している場合、前記ページクロスバッファ内の前記エントリから特定の物理アドレスを取得するステップと、
を備える方法。
【請求項２】
前記ページクロスバッファ内の各エントリの前記命令アドレスおよび前記物理アドレスはそれぞれ、第1のメモリページ、および前記第1のメモリページとは異なる第2のメモリページに対応する、請求項1に記載の方法。
【請求項３】
前記エントリの前記命令アドレスおよび前記特定の物理アドレスは、第1の命令および第2の命令をそれぞれ特定し、前記第1の命令および前記第2の命令は、順次的なメモリアドレスに配置されている、請求項1に記載の方法。
【請求項４】
前記第1の命令は、第1のメモリページの最後のアドレスに配置され、前記第2の命令は、次のメモリページの第1のアドレスに配置される、請求項3に記載の方法。
【請求項５】
最後の物理アドレスバッファに、命令変換ルックアサイドバッファ演算の結果を記憶するステップ、をさらに備える請求項1に記載の方法。
【請求項６】
前記命令が前記ページクロスバッファ内にエントリを有していない場合、前記最後の物理アドレスバッファから、最後の物理アドレスを選択するステップ、をさらに備える請求項5に記載の方法。
【請求項７】
前記ページクロスバッファから取得された特定の物理アドレスを用いることによって、推測的なタグ配列演算を実行するステップ、をさらに備える請求項1に記載の方法。
【請求項８】
前記エントリの前記命令アドレスおよび前記特定の物理アドレスは、第1の命令の仮想アドレスおよび次の命令の物理アドレスをそれぞれ特定し、前記推測的なタグ配列演算は、第1の期間中、処理のプリフェッチステージにおいて、前記第1の命令の推測的なアドレッシングを実行するステップを備え、前記第1の期間は、前記処理のプリフェッチステージにおいて、前記次の命令のために推測的なアドレッシングが実行される第2の期間の前であり、前記第2の期間中、処理のフェッチステージにおいて、前記第1の命令のフェッチを実行するステップをさらに備える請求項7に記載の方法。
【請求項９】
タグ配列演算をリプレイするか否かを判定するために、前記特定の物理アドレスを、命令変換ルックアサイドバッファ演算の結果と比較するステップと、
前記命令変換ルックアサイドバッファ演算の結果を用いて前記ページクロスバッファを更新するステップと、をさらに備える請求項1に記載の方法。
【請求項１０】
前記特定の物理アドレスは、処理パイプラインのフェッチステージに先立って、前記ページクロスバッファの前記エントリから読まれる、請求項1に記載の方法。
【請求項１１】
1つまたは複数のエントリを含むページクロスバッファであって、前記1つまたは複数のエントリの各々は、命令アドレスおよび物理アドレスを含み、前記ページクロスバッファ内の各エントリの前記命令アドレスおよび前記物理アドレスは、異なる命令に対応し、前記ページクロスバッファの少なくとも1つのエントリは、分岐命令アドレスを含んでいない、ページクロスバッファと、
タグ配列と、
前記ページクロスバッファが、特定の命令に対応するエントリを有することに応じて、前記ページクロスバッファから取得される特定の物理アドレスを選択するように構成されたマルチプレクサであって、前記マルチプレクサの出力は前記タグ配列に提供される、マルチプレクサと、
を備える装置。
【請求項１２】
命令変換ルックアサイドバッファ演算の結果が、最後の物理アドレスバッファに記憶され、前記ページクロスバッファが、前記特定の命令に対応する何らかのエントリを有していない場合、前記マルチプレクサはさらに、前記最後の物理アドレスバッファの出力を選択するように構成された、請求項11に記載の装置。
【請求項１３】
前記タグ配列は、前記マルチプレクサによって選択された前記最後の物理アドレスバッファの出力を用いて、タグ配列演算を実行するように構成された、請求項12に記載の装置。
【請求項１４】
前記タグ配列は、処理パイプラインのフェッチステージに先立って、推測的なタグ配列演算を実行するように構成され、前記推測的なタグ配列演算は、前記ページクロスバッファから取得された前記特定の物理アドレスを用いる、請求項11に記載の装置。
【請求項１５】
命令を記憶するコンピュータ読取可能な記憶媒体であって、前記命令が、請求項1から10のいずれか一項に記載の方法を行うように処理システム内で実行可能である、コンピュータ読取可能な記憶媒体。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
式Ｉ：
【化１】
2016505010.tif 000001
（式中、Ｘは結合またはＣＨ２であり；
Ｒは、
【化２】
2016505010.tif 000002
からなる群より選択され；
Ｒ１およびＲ２は、それぞれ独立して、ＣＨおよびＮからなる群より選択され；
Ｒ３はＨまたはＣＨ３であり；
Ｒ４はＨまたはＣＨ３であり；ならびに
Ｌは、−Ｏ（ＣＨ２）３−、−Ｃ（Ｏ）ＮＨ（ＣＨ２）２−、−ＣＨ２Ｃ（Ｏ）ＮＨ（ＣＨ２）２−、−（ＣＨ２）３Ｎ（Ｃ（Ｏ）ＣＨ３）ＣＨ２−、−（ＣＨ２）２Ｎ（Ｃ（Ｏ）ＣＨ３）ＣＨ２−、−（ＣＨ２）３ＮＨ−、（ＣＨ２）２ＯＣＨ２−、−（ＣＨ２）４−、−（ＣＨ２）２ＮＨＣＨ２−、−（ＣＨ２）３Ｏ−、および−ＣＨ２Ｏ（ＣＨ２）２−からなる群より選択される）
の化合物または医薬的に許容可能なその塩。
【請求項２】
Ｒが
【化３】
2016505010.tif 000003
である、請求項１に記載の化合物または塩。
【請求項３】
Ｒ１がＣＨである、請求項２に記載の化合物または塩。
【請求項４】
１−［２−（２，３−ジヒドロ−１Ｈ−インデン−２−イルアミノ）−７，８−ジヒドロピリド［４，３−ｄ］ピリミジン−６（５Ｈ）−イル］−２−［２−（１Ｈ−１，２，３−トリアゾール−４−イル）エトキシ］エタノン：
【化４】
2016505010.tif 000004
である、請求項１に記載の化合物または塩。
【請求項５】
１−［２−（２，３−ジヒドロ−１Ｈ−インデン−２−イルアミノ）−５，７−ジヒドロ−６Ｈ−ピローロ［３，４−ｄ］ピリミジン−６−イル］−２−［２−（１Ｈ−１，２，３−トリアゾール−４−イル）エトキシ］エタノン：
【化５】
2016505010.tif 000005
である、請求項１に記載の化合物または塩。
【請求項６】
一若しくは複数の医薬的に許容可能な担体、希釈剤、または賦形剤と組み合わせる、請求項１〜５のいずれか一項に記載の化合物または医薬的に許容可能なその塩を含む、医薬組成物。
【請求項７】
式：
【化６】
2016505010.tif 000006
の中間体化合物。
【請求項８】
式：
【化７】
2016505010.tif 000007
の中間体化合物。
【手続補正書】
【提出日】平成28年12月15日(2016.12.15)
【手続補正１】
【補正対象書類名】明細書
【補正対象項目名】００１６
【補正方法】変更
【補正の内容】
【００１６】
アカシアガム（またはアラビアガム）は、およそ２４０，０００〜５８０，０００の分子量を有する、糖とヘミセルロースの複雑な緩い凝集体である。凝集体は、本質的にアラビン酸核からなり、これに糖であるアラビノース、ガラクトースおよびラムノースと共にカルシウム、マグネシウムおよびカリウムが結合している。アカシアガムは、主に、懸濁化剤および乳化剤として経口および局所医薬製剤において使用される。
【手続補正２】
【補正対象書類名】明細書
【補正対象項目名】００３６
【補正方法】変更
【補正の内容】
【００３６】
あるいは、本発明の顆粒組成物に使用される結晶セルロースの濃度は、０．０％ w/w〜８６．９％ w/wの範囲であってもよく、好ましくは０．０％ w/w〜８４．７％ w/w、より好ましくは０．０％ w/w〜６０％ w/w、最も好ましくは０．０％ w/w〜３０％ w/w、最も好ましくは２．０％ w/w〜３０％ w/wであり、該パーセンテージは、（乾燥）顆粒剤の量に対して算出される。しかしながら、顆粒剤における結晶セルロースの濃度範囲は、本発明の顆粒剤がさらなる添加剤を含有し得るため、正確に定義することはできない。
糖が使用される場合でも、同じことが当てはまる。
【手続補正３】
【補正対象書類名】明細書
【補正対象項目名】００５３
【補正方法】変更
【補正の内容】
【００５３】
（例２）
撹拌造粒機（ＶＧ−１）内で、フィダキソマイシンを、様々な量のキサンタンガム（Ｘａｎｔｕｒａｌ（登録商標））および他の添加剤（すなわち、結晶セルロース（Ｃｅｏｌｕｓ（登録商標）ＰＨ−１０１）、部分アルファ化デンプン（ＳＴＡＲＣＨ  １５００Ｇ）、デンプングリコール酸ナトリウム（Ｐｒｉｍｏｊｅｌ（登録商標）））と、表３ａに示されるような量で混合した。表３ａに示されるような量の水を混合品に添加し、均一に分布させて湿潤顆粒を形成した。その後、２０メッシュの篩を通して顆粒を篩い分けし、流動層乾燥機／トレイ乾燥機内で７０℃の入口温度で１０〜２０分間乾燥させ、再び篩い分けし１８メッシュの篩に通した。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
少なくとも１つの薬学的に許容される成分と共に、単位用量当たり約５０ｍｇから約１，８００ｍｇの量のＬ−４−クロロキヌレニンから本質的に成る、経口投与剤形である医薬組成物。
【請求項２】
単位用量当たり約２６０ｍｇから約１，５４０ｍｇの量のＬ−４−クロロキヌレニンから本質的に成る、請求項１に記載の医薬組成物。
【請求項３】
単位用量当たり約９８０ｍｇから約１，５４０ｍｇの量のＬ−４−クロロキヌレニンから本質的に成る、請求項１に記載の医薬組成物。
【請求項４】
Ｌ−４−クロロキヌレニンが約３６０、１，０８０又は１，４４０ｍｇの単位用量で存在する、請求項１に記載の医薬組成物。
【請求項５】
単位用量は、治療が必要な患者のうつ病を治療するのに有効である、請求項１〜４のいずれか一項に記載の医薬組成物。
【請求項６】
単位用量は、治療が必要な患者の満足（ｗｅｌｌ−ｂｅｉｎｇ）という感情を誘発又は増大するのに有効である、請求項１〜４のいずれか一項に記載の医薬組成物。
【請求項７】
治療が必要な患者にＬ−４−クロロキヌレニンの治療有効量を経口投与するステップを含む、うつ病を治療する方法であって、Ｌ−４−クロロキヌレニンは、少なくとも１つの薬学的に許容される成分と共に、単位用量当たり約５０ｍｇから約１，８００ｍｇの量のＬ−４−クロロキヌレニンから本質的に成る医薬組成物として投与される、上記方法。
【請求項８】
治療が必要な患者にＬ−４−クロロキヌレニンの治療有効量を経口投与するステップを含む、満足（ｗｅｌｌ−ｂｅｉｎｇ）という感情を誘発又は増大する方法であって、Ｌ−４−クロロキヌレニンは、少なくとも１つの薬学的に許容される成分と共に、単位用量当たり約５０ｍｇから約１，８００ｍｇの量のＬ−４−クロロキヌレニンから本質的に成る医薬組成物として投与される、上記方法。
【請求項９】
医薬組成物が投与されるほぼすべての患者が、軽度の有害事象を決して超えない、請求項７又は８に記載の方法。
【請求項１０】
医薬組成物は、ヒト患者が受け入れやすく、生じる不快感が最小限であって日常の活動を妨げない、請求項７又は８に記載の方法。
【請求項１１】
Ｌ−４−クロロキヌレニンが、単一投与及び多回投与のレジメンからなる群から選択される投与レジメンで投与される、請求項７又は８に記載の方法。
【請求項１２】
Ｌ−４−クロロキヌレニンが、１から約１４日、１から約３０日、約７から約２４日又は約１２から約１６日までの投与レジメンで投与される、請求項７又は８に記載の方法。
【請求項１３】
Ｌ−４−クロロキヌレニンが、患者においてＬ−４−クロロキヌレニンの投与後約０．５から約６時間の範囲内で約２μｇ／ｍＬから約５５μｇ／ｍＬの７−クロロキヌレン酸の血漿中レベル又は患者においてＬ−４−クロロキヌレニンの投与後約０．５から約６時間の範囲内で約１５ｎｇ／ｍＬから約５５０ｎｇ／ｍＬの７−クロロキヌレン酸の血漿中レベルをもたらす、請求項７又は８に記載の方法。
【請求項１４】
Ｌ−ＤＯＰＡと、担体及び添加剤などの薬学的に許容される成分と共に、単位用量当たり約５０ｍｇから約１，８００ｍｇの量のＬ−４−クロロキヌレニンから本質的に成る医薬組成物とを含む、組合せ医薬品。
【請求項１５】
Ｌ−４−クロロキヌレニンの治療有効量の投与を含む、Ｌ−ＤＯＰＡ関連ジスキネジアを軽減するための方法において使用するための、担体及び添加剤などの薬学的に許容される成分と共に、単位用量当たり約５０ｍｇから約１，８００ｍｇの量のＬ−４−クロロキヌレニンから本質的に成る、医薬製剤。
【請求項１６】
痛覚過敏を治療するための方法において使用するための、請求項１に記載の医薬組成物。
【請求項１７】
神経機能障害によって引き起こされる状態を治療する方法において使用するための、請求項１に記載の医薬組成物。
【請求項１８】
Ｌ−４−クロロキヌレニンの治療有効量を投与することによって、痛覚過敏を治療する方法において使用するための、Ｌ−４−クロロキヌレニン。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
メタクリル酸メチルの製造法であって、
金属カルボニルを含む第１触媒の存在下で、エチレンと一酸化炭素と水素とを反応させる工程と、
プロピオンアルデヒドを含む第１反応生成物を取り出す工程と、
前記第１反応生成物をホルムアルデヒドと反応させる工程と、
メタクロレインを含む第２反応生成物を取り出す工程と、
第２触媒の存在下で、前記第２反応生成物を酸素およびメタノールと反応させて、メタクリル酸メチルを含む第３反応生成物を生成する工程と、
を含むことを特徴とする、メタクリル酸メチルの製造法。
【請求項２】
前記第１触媒が均一系触媒であり、リン、ヒ素、およびビスマスの少なくとも１つを含むビフィリック配位子（biphyllic ligand）と組み合わせた、コバルト、ロジウム、イリジウム、およびルテニウムの少なくとも１つを含むことを特徴とする、請求項１に記載の製造法。
【請求項３】
前記金属カルボニルが、配位子の存在下にあることを特徴とする、請求項１から２のいずれか１項に記載の製造法。
【請求項４】
前記第１反応生成物を、第二級アミンおよび有機酸と更に反応させ、
前記第二級アミンが、ジ−２−エチルヘキシルアミン、ジフェニルアミン、ジシクロヘキシルアミン、ジプロピルアミン、メチルブチルアミン、エチルブチルアミン、ジイソオクチルアミン、ピペリジン、ピロリジン、ピペラジン、モルホリン、およびこれらの組み合わせを含むことを特徴とする、請求項１から３のいずれか１項に記載の製造法。
【請求項５】
前記有機酸が、ギ酸、シュウ酸、マレイン酸、アセチレン、ジカルボン酸、酢酸、プロピオン酸、ｎ−またはｉ−ブタン酸、マロン酸、グルタル酸、コハク酸、酒石酸、アジピン酸、ヒドロキシコハク酸、サリチル酸、２−エチルヘキサン酸、およびこれらの組み合わせを含むことを特徴とする、請求項４に記載の製造法。
【請求項６】
前記第１触媒存在下でのエチレンと一酸化炭素と水素との前記反応工程が、５０℃から２００℃の反応温度であること、および／または前記第１触媒存在下でのエチレンと一酸化炭素と水素との前記反応工程が、１０１．３ｋＰａから３０３．９ｋＰａの自発生圧力（autogeneous pressure）であることを特徴とする、請求項１から５のいずれか１項に記載の製造法。
【請求項７】
前記第１触媒存在下でのエチレンと一酸化炭素と水素との前記反応工程が、７９０ｋＰａから２０７８５ｋＰａの反応圧力であることを特徴とする、請求項１から６のいずれか１項に記載の製造法。
【請求項８】
ホルムアルデヒドを、プロピオンアルデヒドに対して１．５：１から１：１のモル比で加える工程を更に含むことを特徴とする、請求項１から７のいずれか１項に記載の製造法。
【請求項９】
前記第２触媒が、
パラジウム、ロジウム、およびルテニウムの少なくとも１つと、
鉛、水銀、タリウム、金、銅、銀、カドミウム、亜鉛、インジウム、スズ、アンチモン、およびビスマスの少なくとも１つと、
を含む不均一系触媒を含むことを特徴とする、請求項１から８のいずれか１項に記載の製造法。
【請求項１０】
前記第２触媒がパラジウムと金を含むこと、および／または前記第２触媒がパラジウムと鉛を含むことを特徴とする、請求項１から９のいずれか１項に記載の製造法。
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
実施例２において記載されている手順によってｐＨ７．４のヒト血漿中で測定すると１０分を超える半減期を有するＮ−ヒドロキシスルホンアミド型ニトロキシル供与体、および水性緩衝液を含み、約５〜約６のｐＨを有する、医薬組成物。
【請求項２】
前記緩衝液が、リン酸カリウム緩衝液である、請求項１に記載の医薬組成物。
【請求項３】
前記緩衝液が、酢酸カリウム緩衝液である、請求項１に記載の医薬組成物。
【請求項４】
安定化剤をさらに含む、請求項１から３のいずれか一項に記載の医薬組成物。
【請求項５】
前記安定化剤がシクロデキストリンである、請求項４に記載の医薬組成物。
【請求項６】
前記シクロデキストリンが、シクロデキストリン１分子あたり６つまたは７つのスルホ−ｎ−ブチルエーテル基を有するβ−シクロデキストリンのスルホ−ｎ−ブチルエーテル誘導体である、請求項５に記載の医薬組成物。
【請求項７】
前記シクロデキストリンが、ＣＡＰＴＩＳＯＬ（登録商標）である、請求項５または請求項６に記載の医薬組成物。
【請求項８】
前記組成物中に存在する前記Ｎ−ヒドロキシスルホンアミド型ニトロキシル供与体と前記シクロデキストリンとの間のモル比が、約０．０２：１〜約２：１である、請求項５から７のいずれか一項に記載の医薬組成物。
【請求項９】
前記Ｎ−ヒドロキシスルホンアミド型ニトロキシル供与体が、式（１）の化合物
【化１】
2016505044.tif 000001
である、請求項１から８のいずれか一項に記載の医薬組成物。
【請求項１０】
前記Ｎ−ヒドロキシスルホンアミド型ニトロキシル供与体が、式（２）の化合物
【化２】
2016505044.tif 000002
である、請求項１から８のいずれか一項に記載の医薬組成物。
【請求項１１】
（ｉ）実施例２において記載されている手順によってｐＨ７．４のヒト血漿中で測定すると１０分を超える半減期を有するＮ−ヒドロキシスルホンアミド型ニトロキシル供与体、および（ｉｉ）シクロデキストリンを含む医薬組成物。
【請求項１２】
前記シクロデキストリンが、シクロデキストリン１分子あたり６つまたは７つのスルホ−ｎ−ブチルエーテル基を有するβ−シクロデキストリンのスルホ−ｎ−ブチルエーテル誘導体である、請求項１１に記載の医薬組成物。
【請求項１３】
前記シクロデキストリンが、ＣＡＰＴＩＳＯＬ（登録商標）である、請求項１２に記載の医薬組成物。
【請求項１４】
前記組成物中に存在する前記Ｎ−ヒドロキシスルホンアミド型ニトロキシル供与体と前記シクロデキストリンとの間のモル比が、約０．０２：１〜約２：１である、請求項１１から１３のいずれか一項に記載の医薬組成物。
【請求項１５】
前記Ｎ−ヒドロキシスルホンアミド型ニトロキシル供与体が、式（１）の化合物
【化３】
2016505044.tif 000003
である、請求項１１から１４のいずれか一項に記載の医薬組成物。
【請求項１６】
前記Ｎ−ヒドロキシスルホンアミド型ニトロキシル供与体が、式（２）の化合物
【化４】
2016505044.tif 000004
である、請求項１１から１４のいずれか一項に記載の医薬組成物。
【請求項１７】
式（１）の化合物
【化５】
2016505044.tif 000005
、およびシクロデキストリンを含み、組成物中に存在する前記化合物と前記シクロデキストリンとの間のモル比が約０．０２：１〜約２：１である、混合物。
【請求項１８】
式（２）の化合物
【化６】
2016505044.tif 000006
、およびシクロデキストリンを含み、組成物中に存在する前記化合物と前記シクロデキストリンとの間のモル比が約０．０２：１〜約２：１である、混合物。
【請求項１９】
緩衝化剤をさらに含む、請求項１７または請求項１８に記載の混合物。
【請求項２０】
前記緩衝化剤が酢酸カリウムである、請求項１９に記載の混合物。
【請求項２１】
心血管疾患を処置するのに有用な医薬品を製造するための、請求項１から１６のいずれか一項に記載の医薬組成物の使用。
【請求項２２】
心不全を処置するのに有用な医薬品を製造するための、請求項１から１６のいずれか一項に記載の医薬組成物の使用。
【請求項２３】
急性非代償性心不全を処置するのに有用な医薬品を製造するための、請求項１から１６のいずれか一項に記載の医薬組成物の使用。
【請求項２４】
心不全の処置に使用するための、請求項１から１６のいずれか一項に記載の医薬組成物。
【請求項２５】
急性非代償性心不全の処置に使用するための、請求項１から１６のいずれか一項に記載の医薬組成物。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
ヒドロキシアルデヒドの調製方法であって、方法が、
アルドール縮合条件下、アミン触媒の存在下において、反応ゾーンにおいてホルムアルデヒドと別のアルデヒドとを接触させてヒドロキシアルデヒド及びアミン塩を含むストリームを生成させること、
ストリームとアルカリ性添加剤とを接触させて混合物を形成すること、並びに
混合物を精製してアミン塩を除去してヒドロキシアルデヒドを含む精製された生成物を形成することを含む方法。
【請求項２】
精製することが蒸留塔中において実施され、アルカリ性添加剤が、蒸留塔に供給される前にストリームの少なくとも幾らかと組み合わされる、請求項１に記載の方法。
【請求項３】
精製することが蒸留塔中において実施され、アルカリ性添加剤が蒸留塔中に供給される、請求項１に記載の方法。
【請求項４】
ホルムアルデヒドと別のアルデヒドとを接触させることが反応器中において実施され、ストリームが、アルカリ性添加剤との接触より前に反応器から取り出される、請求項１〜３のいずれかに記載の方法。
【請求項５】
方法が、
アミン触媒を収容する反応ゾーンにおいてアルドール縮合反応を実施することにより、ヒドロキシアルデヒドを含む反応混合物を生成させることであって、１種以上のアミン塩がアルドール縮合反応の間に生成すること、
精製ゾーンにおいて反応混合物の少なくとも一部を精製することにより、ヒドロキシアルデヒドの少なくとも一部を含む精製された生成物を生成させること、及び
アルカリ性添加剤とアミン塩とを接触させてアミン塩の少なくとも一部の解離を引き起こすことを含む方法。
【請求項６】
アルカリ性添加剤が、精製ゾーン中に添加される、請求項５に記載の方法。
【請求項７】
アルカリ性添加剤が、精製ゾーンの上流に添加される、請求項５に記載の方法。
【請求項８】
アルカリ性添加剤が、反応ゾーンの下流に添加される、請求項５又は７に記載の方法。
【請求項９】
アルドール縮合反応が、ホルムアルデヒド及び別のアルデヒドを、アミン触媒と接触させることを含む、請求項５〜８のいずれかに記載の方法。
【請求項１０】
別のアルデヒドが、ホルムアルデヒド、プロピオンアルデヒド、ｎ‐ブチルアルデヒド、イソブチルアルデヒド、バレルアルデヒド、２‐メチルブチルアルデヒド、３‐メチルブチルアルデヒド（イソバレルアルデヒド）、２，２‐ジメチルプロピオンアルデヒド（ピバリンアルデヒド）、カプロアルデヒド、２‐メチルバレルアルデヒド、３‐メチルバレルアルデヒド、４‐メチルバレルアルデヒド、２‐エチルブチルアルデヒド、２，２‐ジメチルブチルアルデヒド、３，３‐ジメチルブチルアルデヒド、カプリルアルデヒド、カプリンアルデヒド、又はグルタルアルデヒドを含む、請求項１、２、３、４又は９のいずれかに記載の方法。
【請求項１１】
別のアルデヒドが、イソブチルアルデヒドである、請求項１、２、３、４又は９のいずれかに記載の方法。
【請求項１２】
反応ゾーンが、アミン触媒を含む均一相を含む、請求項１〜１１のいずれかに記載の方法。
【請求項１３】
ヒドロキシアルデヒドが、３‐ヒドロキシプロパナール、ジメチロールエタナール、トリメチロールエタナール（ペンタエリスリタール）、３‐ヒドロキシブタナール（アセトアルドール）、３‐ヒドロキシ‐２‐エチルヘキサナール（ブチルアルドール）、３‐ヒドロキシ‐２‐メチルペンタナール（プロピルアルドール）、２‐メチロールプロパナール、２，２‐ジメチロールプロパナール、３‐ヒドロキシ‐２‐メチルブタナール、３‐ヒドロキシペンタナール、２‐メチロールブタナール、２，２‐ジメチロールブタナール、又はヒドロキシピバルデヒドを含む、請求項１〜１２のいずれかに記載の方法。
【請求項１４】
アミン触媒が、トリエチルアミン、トリ‐ｎ‐プロピルアミン、トリ‐ｎ‐ブチルアミン、トリメチルアミン又はこれらの混合物である、請求項１〜１３のいずれかに記載の方法。
【請求項１５】
アルカリ性添加剤が、アルカリ金属又はアルカリ土類金属の炭酸塩、炭酸水素塩、又は水酸化物を含む、請求項１〜１４のいずれかに記載の方法。
【請求項１６】
アルカリ性添加剤が、Ｎａ2ＣＯ3、Ｋ2ＣＯ3、ＣａＣＯ3、ＮａＨＣＯ3、ＫＨＣＯ3、ＮａＯＨ、ＫＯＨ、Ｃａ（ＯＨ）2、又はこれらの組み合わせである、請求項１〜１４のいずれかに記載の方法。
【請求項１７】
精製が蒸留を含む、請求項１〜１６のいずれかに記載の方法。
【請求項１８】
蒸留が塔頂ストリームを生成させ、前記塔頂ストリームの少なくとも一部を反応ゾーンへ再循環させる、請求項１７に記載の方法。
【請求項１９】
塔頂ストリームが、アミン触媒の少なくとも一部を含む、請求項１８に記載の方法。
【請求項２０】
アルカリ性添加剤を、アミン塩の質量％と比較して１０質量％よりも少ない超過である量にてアミン塩と接触させる、請求項１〜１９のいずれかに記載の方法。
【請求項２１】
反応ゾーンにおける条件が、２０°Ｃ〜１５０°Ｃの範囲内の温度、５ｐｓｉｇ〜１００ｐｓｉｇの範囲内の圧力、及び３０分〜２時間の範囲内の全反応時間を含む、請求項１〜２０のいずれかに記載の方法。
【請求項２２】
精製することが、精製された生成物を含む精製されたストリームを生成させ、並びに方法が更に、精製されたストリームのナトリウム及び／又は窒素含有量を測定すること、並びに測定した精製されたストリームのナトリウム及び／又は窒素含有量に基づいて、ストリームと接触させるアルカリ性添加剤の量を計量することを含む、請求項１〜２１のいずれかに記載の方法。
【請求項２３】
プロセスが、精製された生成物を水素化してポリオールを形成することを更に含む、請求項１〜２２のいずれかに記載の方法。
【請求項２４】
方法が、連続プロセスである、請求項１〜２３のいずれかに記載の方法。
【請求項２５】
アミン触媒がトリメチルアミンであり、かつ、アルカリ性添加剤がＮａＯＨである、請求項１〜２４のいずれかに記載の方法。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
式Ｉ：
【化１】
2016505019.tif 000001
で示される重水素豊富化化合物あるいはその薬剤的に許容可能な塩、溶媒和物または立体異性体であって、式中：
Ｚは、ＨまたはＤであるが、ただし、Ｚにおける重水素存在量が、少なくとも３０％であり；
Ｒ１は、ＨおよびＤから選択され；
Ｒ２、Ｒ３、Ｒ４、Ｒ５、Ｒ７、Ｒ８、およびＲ９は、Ｈであり；
Ｒ６は、１個以上のハロで適宜置換されていてもよい（Ｃ１−Ｃ６）アルキルであり；
Ｒ１０は、−（ＣＨ２）ｎＮＨＲａであり；
Ｒａは、Ｈ；Ｄ；および１個以上のハロで適宜置換されていてもよい（Ｃ１−Ｃ６）アルキルから選択されるものであり；ならびに
ｎは、０、１、および２から独立して選択される、前記式Ｉの重水素豊富化化合物あるいはその薬剤的に許容可能な塩、溶媒和物または立体異性体。
【請求項２】
式Ｉ−Ａ：
【化２】
2016505019.tif 000002
で示される重水素豊富化化合物あるいはその薬剤的に許容可能な塩または立体異性体であって、式中：
Ｚが、ＨまたはＤであるが、ただし、Ｚにおける重水素存在量が、少なくとも３０％であり；
Ｒ１−ＡおよびＲ２−Ａが、Ｈである、請求項１に記載の重水素豊富化化合物。
【請求項３】
式Ｉ−Ｃ：
【化４】
2016505019.tif 000003
で示される重水素豊富化化合物あるいはその薬剤的に許容可能な塩または立体異性体である、請求項１に記載の重水素豊富化化合物。
【請求項４】
（−）−エナンチオマーである、請求項３に記載の重水素豊富化化合物。
【請求項５】
（＋）−エナンチオマーである、請求項３に記載の重水素豊富化化合物。
【請求項６】
少なくとも９０％の鏡像体過剰率の光学純度を有する、請求項４または５に記載の重水素豊富化化合物。
【請求項７】
少なくとも９５％の鏡像体過剰率の光学純度を有する、請求項４または５に記載の重水素豊富化化合物。
【請求項８】
少なくとも９０％の鏡像体過剰率を有する
【化５】
2016505019.tif 000004
またはその薬剤的に許容可能な塩である、請求項１に記載の重水素豊富化化合物。
【請求項９】
少なくとも９０％の鏡像体過剰率を有する
【化６】
2016505019.tif 000005
またはその薬剤的に許容可能な塩である、請求項１に記載の重水素豊富化化合物。
【請求項１０】
少なくとも９５％の鏡像体過剰率を有する、請求項８または９に記載の重水素豊富化化合物。
【請求項１１】
Ｚにおける重水素の存在量が、少なくとも８０％である、請求項２または８〜１０のいずれか１項に記載の重水素豊富化化合物。
【請求項１２】
Ｚにおける重水素の存在量が、少なくとも９５％である、請求項２または８〜１０のいずれか１項に記載の重水素豊富化化合物。
【請求項１３】
（ａ）式ＩａまたはＩｂ：
【化７】
2016505019.tif 000006
で示される重水素豊富化化合物あるいはその薬剤的に許容可能な塩または溶媒和物であって、前記Ｃ−Ｚ炭素に対して少なくとも５％の鏡像体過剰率を有するか、あるいは
（ｂ）式ＩｃまたはＩｄ：
【化８】
2016505019.tif 000007
で示される重水素豊富化化合物あるいはその薬剤的に許容可能な塩または溶媒和物であって、前記Ｃ−Ｚ炭素に対して少なくとも５％の鏡像体過剰率を有すること
によってさらに特徴付けられる、請求項１に記載の重水素豊富化化合物。
【請求項１４】
式ＩｅまたはＩｆ：
【化９】
2016505019.tif 000008
で示される重水素豊富化化合物あるいはその薬剤的に許容可能な塩または溶媒和物であって、前記Ｃ−Ｄ炭素に対して少なくとも８０％の鏡像体過剰率を有する、請求項１に記載の重水素豊富化化合物。
【請求項１５】
Ｚにおける重水素の存在量が、少なくとも８０％である、請求項１、１３、または１４のうちいずれか１項に記載の重水素豊富化化合物。
【請求項１６】
前記Ｃ−Ｚ炭素に対する前記鏡像体過剰率が、少なくとも９０％である、請求項１３〜１５のいずれか１項に記載の重水素豊富化化合物。
【請求項１７】
薬剤的に許容可能な担体、および請求項２に記載の化合物を含む、医薬組成物。
【請求項１８】
薬剤的に許容可能な担体、および請求項３に記載の化合物を含む、医薬組成物。
【請求項１９】
薬剤的に許容可能な担体、および請求項４に記載の化合物を含む、医薬組成物。
【請求項２０】
薬剤的に許容可能な担体、ならびにＺにおける重水素の存在量が、少なくとも８０％である、請求項９に記載の化合物を含む、医薬組成物。
【請求項２１】
請求項１〜１６のいずれか１項に記載の化合物を含む、血管新生および／もしくはサイトカイン関連障害の治療、予防、ならびに／または処置のための薬剤。
【請求項２２】
請求項１〜１６のいずれか１項に記載の化合物を含む、がんの治療剤。
【請求項２３】
前記がんが、膀胱、骨、血液、脳、乳房、子宮頸部、胸部、結腸、子宮内膜（endrometrium）、食道、眼、頭部、腎臓、肝臓、リンパ節、肺、口、頸部、卵巣、膵臓、前立腺、直腸、胃、精巣、咽頭、または子宮のがんである、請求項２２に記載の治療剤。
【請求項２４】
請求項１〜１６のいずれか１項に記載の化合物を含む、免疫異常および炎症性疾患からなる群から選択される障害の治療剤。
【請求項２５】
前記障害が、シェーグレン症候群、ＡＮＣＡ誘発性血管炎、抗リン脂質症候群（anti-phospholipid syndrome）、アジソン病、円形脱毛症、強直性脊椎炎、抗リン脂質抗体症候群、抗リン脂質症候群（antiphospholipid syndrome）、喘息、自己免疫性胃炎、自己免疫性溶血性貧血、自己免疫性肝炎、自己免疫性内耳疾患、自己免疫性リンパ性増殖疾患、自己免疫性血小板減少性紫斑病、バロー病、ベーチェット病、類天疱瘡、心筋症、セリアック病、シャーガス病、慢性炎症性脱髄性多発ニューロパチー、瘢痕性類天疱瘡、寒冷凝集素症、ドゴー病、疱疹状皮膚炎（dermatitis hepatiformis）、本態性混合型クリオグロブリン血症、グッドパスチャー症候群、グレーブス病、ギラン・バレー症候群、橋本甲状腺炎、特発性肺線維症、特発性血小板減少性紫斑病、ＩｇＡ腎症、若年性関節炎、扁平苔癬、メニエール病、混合性結合組織病、モルフェア、ナルコプレシー、神経性筋強直症、小児自己免疫性神経精神疾患、尋常性天疱瘡、悪性貧血、結節性多発動脈炎、多発性軟骨炎、リウマチ性多発筋痛症、原発性無ガンマグロブリン血症、原発性胆汁性肝硬変、レイノー病、ライター症候群、再発性多発性軟骨炎、リウマチ熱、全身硬直症候群、高安動脈炎、側頭動脈炎、ブドウ膜炎、血管炎、白斑症、またはウェゲナー肉芽腫症である、請求項２４に記載の治療剤。
【請求項２６】
前記化合物が、請求項３に記載の化合物である、請求項２１〜２５のいずれか１項に記載の治療剤。
【請求項２７】
前記化合物が、請求項４に記載の化合物である、請求項２１〜２５のいずれか１項に記載の治療剤。
【請求項２８】
前記化合物が、Ｚにおける重水素の存在量が少なくとも８０％である請求項９に記載の化合物である、請求項２１〜２５のいずれか１項に記載の治療剤。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
繊維組成物中の繊維の合計質量に対して、
約１０〜約６５質量％のポリイミド繊維と、
約１０〜約３０質量％の、芳香族ポリアミドフィブリッドまたはポリカーボネート繊維から選択された繊維と、
約２５〜約７０質量％の芳香族ポリアミド繊維と、
を含む繊維組成物の圧密化生成物であって、厚みが０超〜８ミル未満の圧密化生成物を含む、
ことを特徴とする繊維質基板。
【請求項２】
請求項１に記載の繊維質基板を含むことを特徴とする電気紙。
【請求項３】
第１の面と前記第１の面に対向する第２の面とを有する繊維質基板であって、繊維組成物中の繊維の合計質量に対して、
約２０〜６５質量％のポリイミド繊維と、
約３０〜７０質量％の、芳香族ポリアミド繊維と、
約１０〜３０質量％の芳香族ポリアミドフィブリッドと、を含む繊維組成物の圧密化生成物を含み；
約７５〜９５質量％のポリイミド繊維と約５〜２５質量％の芳香族ポリアミドフィブリッドとを含み、前記第１の面上に配置された第１の層と；
約７５〜９５質量％のポリイミド繊維と約５〜２５質量％の芳香族ポリアミドフィブリッドとを含み、前記第２の面上に配置された第２の層と、を有する前記繊維質基板を含み、
厚みが０超〜８ミル未満であることを特徴とする電気紙。
【請求項４】
前記繊維質基板は、約４０質量％のポリイミド繊維と、約４０質量％の芳香族ポリアミド繊維と、約２０質量％の芳香族ポリアミドフィブリッドと、を含み、前記第１と第２の層は、約９０質量％のポリイミド繊維と約１０質量％の芳香族ポリアミドフィブリッドとを含む請求項３に記載の電気紙。
【請求項５】
第１の面と、前記第１の面に対向する第２の面とを有する繊維質基板であって、繊維組成物中の繊維の合計質量に対して、
約７５〜９５質量％のポリイミド繊維と約５〜２５質量％の芳香族ポリアミドフィブリッドとを含む繊維組成物の圧密化生成物を含み；
約３５〜４５質量％のポリイミド繊維と、
約３５〜４５質量％の芳香族ポリアミド繊維と、
約１０〜３０質量％の芳香族ポリアミドフィブリッドと、を含み、前記第１の面上に配置された第１の層と；
約３５〜４５質量％のポリイミド繊維と、
約３５〜４５質量％の芳香族ポリアミド繊維と、
約１０〜３０質量％の芳香族ポリアミドフィブリッドと、を含み、前記第２の面上に配置された第２の層と；を有する前記繊維質基板を含み、
厚みが０超〜８０ミル未満であることを特徴とする電気紙。
【請求項６】
前記繊維質基板の前記繊維の引裂強度は、Ｅｌｍｅｎｄｏｒｆ引裂強度として測定して、少なくとも８５ｍＮである請求項２乃至５のいずれか１項に記載の電気紙。
【請求項７】
前記芳香族ポリアミドは、ポリ（ｐ−フェニレンテレフタルアミド）、ポリ（ｐ−フェニレンテレフタルアミド−ｃｏ−３’４’−オキシジフェニレンテレフタルアミド）およびこれらの組み合わせから選択される請求項２乃至５のいずれか１項に記載の電気紙。
【請求項８】
前記繊維質基板内に含浸された熱硬化性ポリマーまたは熱可塑性ポリマーをさらに含む請求項２乃至５のいずれか１項に記載の電気紙。
【請求項９】
請求項２乃至５のいずれか１項に記載の電気紙を含むことを特徴とする物品。
【請求項１０】
懸濁溶媒と；
繊維組成物中の繊維の合計質量に対して、
約２０〜６５の質量％のポリイミド繊維と、
約３０〜７０質量％の芳香族ポリアミド繊維と、
約１０〜３０質量％の芳香族ポリアミドフィブリッドと、を含む繊維組成物と；を含むスラリーから層を形成するステップと、
前記層から水を取り除くステップと、
前記層を圧密化して繊維質基板を形成するステップと、
を備える繊維質基板の調製プロセスであって、
約７５〜９５質量％のポリイミド繊維と５〜２５質量％の芳香族ポリアミドフィブリッドの層を、前記圧密化するステップの前または後に、前記繊維質基板のそれぞれの表面に塗布し、基板とポリイミド膜を共に圧密化ステップにかけることを特徴とする調製プロセス。
【手続補正書】
【提出日】平成28年12月13日(2016.12.13)
【手続補正１】
【補正対象書類名】特許請求の範囲
【補正対象項目名】請求項１０
【補正方法】変更
【補正の内容】
【請求項１０】
前記内部ブレースの幅は、前記上弦材及び前記下弦材の各々の幅未満である、請求項１に記載のトラス。
【手続補正２】
【補正対象書類名】特許請求の範囲
【補正対象項目名】請求項１２
【補正方法】変更
【補正の内容】
【請求項１２】
前記複数のトラスの各々における前記複数の外部ブレースの各々の長さは、略同じである、請求項１１に記載のトラス構造。
【手続補正３】
【補正対象書類名】特許請求の範囲
【補正対象項目名】請求項１３
【補正方法】変更
【補正の内容】
【請求項１３】
前記複数のトラスの各々において２つの隣接する内部ブレース間の間隔は、前記複数のトラスの各々の前記上弦材の方向に略垂直な方向に沿って整列している、請求項１１に記載のトラス構造。
【手続補正４】
【補正対象書類名】特許請求の範囲
【補正対象項目名】請求項１５
【補正方法】変更
【補正の内容】
【請求項１５】
前記複数の内部ブレースの１つ以上を前記上弦材に連結する前記工程は更に、前記複数の内部ブレースの前記の隣接する各々を略同じ角度で前記上弦材に連結する工程から成る、請求項１４に記載のトラス製造方法。
【手続補正５】
【補正対象書類名】特許請求の範囲
【補正対象項目名】請求項１６
【補正方法】変更
【補正の内容】
【請求項１６】
前記複数の内部ブレースの１つ以上を前記上弦材に連結する前記工程は更に、前記複数の内部ブレースの前記の隣接する各々を互いに略同じ間隔で前記上弦材に連結する工程から成る、請求項１４に記載のトラス製造方法。